(57)【要約】【課題】吸引、噴射の切換えが容易で、噴射時に、芳香する空気吸引噴射装置の提供。【解決手段】一端に吸引ホースに接続される後端開口部１１１ｂを有し、内部が空気の主流路１０１となっている本体部１１１と、外気導入用の噴射空気導入口１１２ａと空気を噴射する噴射口１１２ｄを有する噴射流路部１１２と、吸引風で回転する動力ファン１１４ｂを収容し主流路１０１に面する内部吸引口１１５ａ及び外気を導入する吸引空気導入口１１５ｂを有する吸引室１１５と、動力ファン１１４ｂに連動して回転し、噴射口１１２ｄに向かう噴射空気流を形成する噴射ファン１１４ａと、噴射口１１２ｄから外部への空気の噴射を許可又は制限する流路切換部１１６を動作させる切換レバー１１３ａと連動すると共に吸引空気導入口１１５ｂの開口面積を調節する空気導入蓋部材１１３ｃを設け、噴射流路部１１２に芳香成分を含浸した上部フィルター１２０ａを設けた。【選択図】図１４
2013094213.tif 000002
【特許請求の範囲】
【請求項１】
一端に先端開口部を、他端に電気掃除機の吸引ホースに接続される後端開口部をそれぞれ有し、内部が空気の主流路となっている本体部と、外気を導入する噴射空気導入口と導入した空気を外部へ噴射する噴射口を有し、前記噴射空気導入口と前記噴射口間に空気の副流路を形成した噴射流路部と、前記主流路に形成される吸引空気流によって回転する動力ファンを収容すると共に前記主流路に面する内部吸引口および外部から空気を導入する吸引空気導入口を有する動力ファン収容部と、前記噴射流路部内に設けられ、前記動力ファンに連動して回転し、前記噴射空気導入口から前記噴射口に向かう噴射空気流を形成する噴射ファンと、前記噴射空気流の前記噴射口から外部への噴射を許可または制限する噴射切換部と、前記噴射切換部を動作させる切換レバーと、前記切換レバーと連動すると共に前記吸引空気導入口の開口面積を調節する空気導入蓋部材を備え、前記噴射流路部の少なくとも１箇所に芳香手段を設けたことを特徴とする空気吸引噴射装置。
【請求項２】
噴射空気導入口に、塵埃の侵入を防ぐ吸気フィルターを設け、前記吸気フィルターに芳香成分を含浸させた請求項１に記載の空気吸引噴射装置。
【請求項３】
噴射ファンと噴射切換部の間に、芳香部材を設けた請求項１または２に記載の空気吸引噴射装置。
【請求項４】
吸気フィルターを保水性のある素材で形成した請求項２又は３に記載の空気吸引噴射装置。
【請求項５】
吸気フィルターを着脱自在とした請求項２〜４のいずれか１項に記載の空気吸引噴射装置。
【請求項６】
電動送風機を内蔵した掃除機本体と、塵埃を捕集する集塵室と、一端が、前記集塵室に連通するように前記掃除機本体に接続され、他端が、請求項１〜５のいずれか１項に記載の空気吸引噴射装置に接続可能な吸引ホースを備えた電気掃除機。
【発明の詳細な説明】
【技術分野】
【０００１】
本発明は、電気掃除機による空気の吸引を利用して空気を噴射できるとともに、空気の吸引および噴射を切り換えることができる空気吸引噴射装置と、これを備える電気掃除機に関するものである。
【背景技術】
【０００２】
一般的な、電気掃除機は、空気を吸引することによって、空気とともに塵埃を吸引する機能（以下、「バキューム機能」と称する。）を有しているが、近年では、空気を噴射して塵埃を吹き飛ばす機能（以下、「ブロアー機能」と称する。）を備えている構成も提案されている。電気掃除機が、ブロアー機能を備えていれば、使用者にとって見え難い位置（例えば、据え置かれた家具等の裏側、天面等）あるいは、使用者から見て高い位置（例えば、前記家具の天面、照明の傘、天井等）の塵埃を掃除することが可能となる。
【０００３】
具体的なブロアー機能としては、従来から排気を利用する技術が知られている。この排気は、電気掃除機の集塵室を通過してきた空気流であるが、実際のブロアー機能においては、様々なフィルターを介しておりクリーンな空気流となっていることが多い。ところが、使用者は、排気を利用するという点で不衛生なイメージを抱いてしまう。
【０００４】
また、ブロアー機能が、吸引ホースまたは延長管等を利用する構成であれば、これらの内部に付着した微量な塵埃が噴出することが疑われるため、使用者は、やはり不衛生なイメージを抱いてしまう。また、集塵室を通過するので、ブロアーの臭いを気にする使用者もいる。そこで、最近では、排気を利用しないブロアー機能が種々提案されている。
【０００５】
例えば、特許文献１に記載されたように、吸引力により動作する吸引ファンと、噴射力を発生する噴射ファンと、前記吸引ファンの動力を前記噴射ファンに伝達する動力伝達手段を備えている空気吸引噴射装置が開示されている。この構成によれば、当該空気吸引噴射装置を吸引ホースに接続するだけで、電気掃除機の吸引力により噴射ファンを回転させることができる。それゆえ、排気を利用しないブロアー機能を、電気掃除機の種類を問わず付加的に利用することが可能となる。
【０００６】
また、特許文献２には、吸込口に設けられた噴出ノズルに、空気を送り込む圧力発生部を備えた電気掃除機用吸込具が開示されている。この電気掃除機用吸込具は、エアポンプ等の圧力発生部により生成した圧縮空気を噴出ノズルから噴射することで、被清掃面に付着したり凹凸部の奥に溜まったりした塵埃を吹き飛ばしてから吸引している。それゆえ、排気を利用しないブロアー機能を実現できるとともに、ブロアー機能により吹き飛ばした塵埃を速やかに吸引できるので、効率よい集塵が可能となる。
【先行技術文献】
【特許文献】
【０００７】
【特許文献１】特開２０００−２１７７４６号公報
【特許文献２】特開２００１−３２１３０５号公報
【発明の概要】
【発明が解決しようとする課題】
【０００８】
しかしながら、前記従来の空気吸引噴射装置の構成では、簡素な構成で、空気の噴射および吸引のタイミングを容易に切り換えることができないため、電気掃除機を使った掃除作業において、ブロアー機能を十分に寄与させることができない、という課題があった。
【０００９】
具体的には、ブロアー機能を好ましく使用できる状況としては、前述した（１）使用者にとって見え難い位置または高い位置の掃除、あるいは、（２）被清掃面に付着したり凹凸部の奥に溜まったりした塵埃の掃除だけでなく、（３）吸引口を近接させると、破損、望ましくない移動、誤操作、誤吸引のおそれがある対象物の掃除が挙げられる。しかしながら、従来の技術では、ブロアー機能とバキューム機能とを容易に切り換えることが困難であるため、前記のような多様な状況に十分対応できない。
【００１０】
例えば、前記（３）の状況の例として、吸引では、壊れるおそれのある造花等の置物、掃除のために直接触れると傾いてしまう壁掛けの額または時計、吸引口の近接により誤操作するおそれのある電話、ＦＡＸ、パーソナルコンピュータのキーボード、もしくは、誤吸引するおそれのある小物の入った引き出しの中等が挙げられるが、これら対象物を掃除する場合、通常の吸引だけでは前述した破損、移動、もしくは誤吸込が生じるおそれがある。
【００１１】
ここで、従来のブロアー機能を用いれば、空気の噴射によって、対象物から塵埃を吹き飛ばすことができるものの、単に吹き飛ばすだけでは、広く塵埃が舞い散ってしまうおそれがある。特に、気密性の高い室内では、単なるブロアー機能の使用は、塵埃を拡散させるだけで、塵埃を吸引除去する範囲を拡大させることになってしまう。また、従来の技術では、通常のバキューム機能とブロアー機能とを切り換える構成については特に開示されていないので、前述した（１）〜（３）等のさまざまな状況に合わせて、バキューム機能とブロアー機能とを、簡素な構成で容易に切り換えることは困難となっている。
【００１２】
本発明はこのような従来の課題を解決するためになされたものであって、バキューム機能とブロアー機能とを、簡素な構成で容易に切り換えることができ、かつブロアー機能時には、芳香したい空間や物に対して、好みに芳香した空気を散布できる空気吸引噴射装置は及び電気掃除機を提供することを目的とする。
【課題を解決するための手段】
【００１３】
前記従来の課題を解決するために、本発明に係る空気吸引噴射装置は、一端に先端開口部を、他端に電気掃除機の吸引ホースに接続される後端開口部をそれぞれ有し、内部が空気の主流路となっている本体部と、外気を導入する噴射空気導入口と導入した空気を外部へ噴射する噴射口を有し、前記噴射空気導入口と前記噴射口間に空気の副流路を形成した噴射流路部と、前記主流路に形成される吸引空気流によって回転する動力ファンを収容すると共に前記主流路に面する内部吸引口および外部から空気を導入する吸引空気導入口を有する動力ファン収容部と、前記噴射流路部内に設けられ、前記動力ファンに連動して回転し、前記噴射空気導入口から前記噴射口に向かう噴射空気流を形成する噴射ファンと、前記噴射空気流の前記噴射口から外部への噴射を許可または制限する噴射切換部と、前記噴射切換部を動作させる切換レバーと、前記切換レバーと連動すると共に前記吸引空気導入口の開口面積を調節する空気導入蓋部材を備え、前記噴射流路部の少なくとも１箇所に芳香手段を設けたもので、特定の電源を必要としない構成で副流路に噴射空気流を形成できるだけでなく、当該噴射空気流の噴射口からの噴射を、切換レバーの操作により許可したり遮断したりすることができる。
【００１４】
また、切換レバーの操作量に応じ、噴射空気流の量を任意に調整できるのに加え、複雑な構成を用いることなく、先端開口部から容易に噴射空気流を噴射させることができるだけでなく、噴射切換部の動作によって、実質的に、空気の吸引（バキューム機能）と噴射（ブロアー機能）とを簡単に切り換えることができる。その結果、電気掃除機におけるブロアー機能とバキューム機能とを、簡素な構成で容易に切り換えることができるとともに、ブロアー機能時には、芳香したい空間や物に対して、好みに芳香した空気を散布できる
芳香効果をもたらすことができる。
【００１５】
また、動力ファンを動力ファン収容部で保護しつつ、吸引空気導入口から動力ファン収容部に空気を取り入れることができるので、主流路による減圧が作用して動力ファン収容部の内部もそのまま減圧されて、吸引空気導入口から内部吸引口に向かって多量の吸引空気流が形成される。これによって動力ファンを勢いよく回転させることができるので、噴射ファンにより形成される噴射空気流を、流速の大きいものとすることができる。
【００１６】
前記空気吸引噴射装置においては、前記噴射切換部は、前記噴射口に対する前記副流路の接続または遮断を切り換える流路切換部であればよい。
【００１７】
前記構成によれば、噴射口につながる副流路を接続または遮断することで、副流路から先端開口部に対する噴射空気流の流れを許可または遮断している。これにより、空気の吸引（バキューム機能）と噴射（ブロアー機能）とを簡単に切り換えることができるので、操作性をより一層向上できる。
【００１８】
前記空気吸引噴射装置においては、前記噴射切換部は、前記動力ファンまたは前記噴射ファンよりも、吸引空気流の流れ方向の上流側となる位置で、前記主流路または前記副流路を開放または遮断する流路開閉部であればよい。
【００１９】
前記構成によれば、主流路または副流路を開閉することで、副流路から噴射口に対する噴射空気流の流れを許可または遮断している。これにより、空気の吸引（バキューム機能）と噴射（ブロアー機能）とを簡単に切り換えることができるので、操作性をより一層向上できる。
【００２０】
また、本発明の電気掃除機は、電動送風機を内蔵した掃除機本体と、塵埃を捕集する集塵室と、一端が、前記集塵室に連通するように前記掃除機本体に接続され、他端が、請求項１〜５のいずれか１項に記載の空気吸引噴射装置に接続可能な吸引ホースを備えたもので、バキューム機能とブロアー機能とを、簡素な構成で容易に切り換えることができ、かつブロアー機能時には、芳香したい空間や物に対して、好みに芳香した空気を散布できる芳香効果をもたらすので、快適に掃除ができる電気掃除機を提供することができる。
【発明の効果】
【００２１】
本発明の空気吸引噴射装置及び電気掃除機は、バキューム機能とブロアー機能とを、簡素な構成で容易に切り換えることができ、かつブロアー機能時には、芳香したい空間や物に対して、好みに芳香した空気を散布できる芳香効果をもたらすことができる。
【図面の簡単な説明】
【００２２】
【図１】本発明の実施の形態１に係る空気吸引噴射装置を備えた電気掃除機の一例を示す全体斜視図
【図２】同空気吸引噴射装置のブロアー時（噴射空気流の形成時）の一例を示す側面図
【図３】同空気吸引噴射装置の下方から見た斜視図
【図４】同空気吸引噴射装置の外郭カバーを除いた状態を示す側面図
【図５】同空気吸引噴射装置に吸引ノズルを装着した状態の一例を示す斜視図
【図６】同空気吸引噴射装置のバキューム時（吸引空気流の形成時）の状態の一例を示す側面図
【図７】同空気吸引噴射装置においてバキューム時（吸引空気流の形成時）の内部構成の一例を側方から示す断面図
【図８】同空気吸引噴射装置を電気掃除機の手元操作部（吸引ホース）に取り付けた状態の一例を示す側面図
【図９】同空気吸引噴射装置のブロアー時（噴射空気流の形成時）の状態の一例を示す側面図
【図１０】同空気吸引噴射装置のブロアー時（噴射空気流の形成時）の内部構成の一例を側方から示す断面図
【図１１】図１０のＩ矢視図
【図１２】同空気吸引噴射装置の吸引ノズルが備える先端ブラシを突出させた状態の一例を示す斜視図
【図１３】同空気吸引噴射装置に他の構成の吸引ノズルを装着した状態の一例を示す側面図
【図１４】同空気吸引噴射装置のブロアー時（噴射空気流の形成時）の一例を示す側方から示す断面図
【図１５】同空気吸引噴射装置のブロアー時（噴射空気流の形成時）の一例を示す斜視図
【図１６】同空気吸引噴射装置の他の一例を示す斜視図
【図１７】本発明の実施の形態２に係る空気吸引噴射装置のブロアー時（噴射空気流の形成時）の一例を示す側方から示す断面図
【発明を実施するための形態】
【００２３】
第１の発明は、一端に先端開口部を、他端に電気掃除機の吸引ホースに接続される後端開口部をそれぞれ有し、内部が空気の主流路となっている本体部と、外気を導入する噴射空気導入口と導入した空気を外部へ噴射する噴射口を有し、前記噴射空気導入口と前記噴射口間に空気の副流路を形成した噴射流路部と、前記主流路に形成される吸引空気流によって回転する動力ファンを収容すると共に前記主流路に面する内部吸引口および外部から空気を導入する吸引空気導入口を有する動力ファン収容部と、前記噴射流路部内に設けられ、前記動力ファンに連動して回転し、前記噴射空気導入口から前記噴射口に向かう噴射空気流を形成する噴射ファンと、前記噴射空気流の前記噴射口から外部への噴射を許可または制限する噴射切換部と、前記噴射切換部を動作させる切換レバーと、前記切換レバーと連動すると共に前記吸引空気導入口の開口面積を調節する空気導入蓋部材を備え、前記噴射流路部の少なくとも１箇所に芳香手段を設けたもので、特定の電源を必要としない構成で副流路に噴射空気流を形成できるだけでなく、当該噴射空気流の噴射口からの噴射を、切換レバーの操作により許可したり遮断したりすることができる。
【００２４】
また、切換レバーの操作量に応じ、噴射空気流の量を任意に調整できるのに加え、複雑な構成を用いることなく、先端開口部から容易に噴射空気流を噴射させることができるだけでなく、噴射切換部の動作によって、実質的に、空気の吸引（バキューム機能）と噴射（ブロアー機能）とを簡単に切り換えることができる。その結果、電気掃除機におけるブロアー機能とバキューム機能とを、簡素な構成で容易に切り換えることができるとともに、ブロアー機能時には、芳香したい空間や物に対して、好みに芳香した空気を散布できる芳香効果をもたらすことができる。
【００２５】
また、動力ファンを動力ファン収容部で保護しつつ、吸引空気導入口から動力ファン収容部に空気を取り入れることができるので、主流路による減圧が作用して動力ファン収容部の内部もそのまま減圧されて、吸引空気導入口から内部吸引口に向かって多量の吸引空気流が形成される。これによって動力ファンを勢いよく回転させることができるので、噴射ファンにより形成される噴射空気流を、流速の大きいものとすることができる。
【００２６】
前記空気吸引噴射装置においては、前記噴射切換部は、前記噴射口に対する前記副流路の接続または遮断を切り換える流路切換部であればよい。
【００２７】
前記構成によれば、噴射口につながる副流路を接続または遮断することで、副流路から先端開口部に対する噴射空気流の流れを許可または遮断している。これにより、空気の吸引（バキューム機能）と噴射（ブロアー機能）とを簡単に切り換えることができるので、操作性をより一層向上できる。
【００２８】
前記空気吸引噴射装置においては、前記噴射切換部は、前記動力ファンまたは前記噴射ファンよりも、吸引空気流の流れ方向の上流側となる位置で、前記主流路または前記副流路を開放または遮断する流路開閉部であればよい。
【００２９】
前記構成によれば、主流路または副流路を開閉することで、副流路から噴射口に対する噴射空気流の流れを許可または遮断している。これにより、空気の吸引（バキューム機能）と噴射（ブロアー機能）とを簡単に切り換えることができるので、操作性をより一層向上できる。
【００３０】
第２の発明は、特に、第１の発明の噴射空気導入口に、塵埃の侵入を防ぐ吸気フィルターを設け、前記吸気フィルターに芳香成分を含浸させたもので、噴射される空気に塵埃が含まれるのを防止できるので、衛生的で、しかも噴射される空気が芳香されるので、快適に掃除作業ができる。
【００３１】
第３の発明は、特に、第１又は第２の発明の噴射ファンと噴射切換部の間に、芳香部材を設けたもので、噴射される空気が芳香されるので、快適に掃除作業ができると共に、噴射空気導入口に、塵埃の侵入を防ぐ吸気フィルターを設ければ、芳香部材に、塵埃が付着せず、衛生的で、しかも芳香部材が長持ちする。
【００３２】
第４の発明は、特に、第２又は第３の発明の吸気フィルターを保水性のある素材で形成したもので、吸気フィルターに芳香剤を滴下するだけで良いので、メンテナンスが容易である。
【００３３】
第５の発明は、特に、第２〜４のいずれか一つの発明の吸気フィルターを着脱自在としたもので、吸気フィルターの清掃、交換が容易になるので、メンテナンスが容易である。
【００３４】
第６の発明に係る電気掃除機は、電動送風機を内蔵した掃除機本体と、塵埃を捕集する集塵室と、一端が、前記集塵室に連通するように前記掃除機本体に接続され、他端が、請求項１〜５のいずれか１項に記載の空気吸引噴射装置に接続可能な吸引ホースを備えたもので、バキューム機能とブロアー機能とを、簡素な構成で容易に切り換えることができ、かつブロアー機能時には、芳香したい空間や物に対して、好みに芳香した空気を散布できる芳香効果をもたらすので、快適に掃除ができる電気掃除機を提供することができる。
【００３５】
以下、本発明の実施の形態について、図面を参照しながら説明する。なお、この実施の形態によって本発明が限定されるものではない。なお、以下では全ての図を通じて同一又は相当する要素には同一の参照符号を付して、その重複する説明を省略する。
【００３６】
（実施の形態１）
本発明の実施の形態１に係る空気吸引噴射装置について、図１〜１６を用いて説明する。図１は、本実施の形態における空気吸引噴射装置を備えた電気掃除機の一例を示す全体斜視図である。
【００３７】
図１において、本実施の形態に係る空気吸引噴射装置１０は、典型的なキャニスター型の電気掃除機２０に備えられているものである。すなわち、電気掃除機２０は、掃除機本体２１と、吸引ホース２２と、手元操作部２３と、吸引延長管２４と、吸込口体２５、吸
引ノズル２６、並びに空気吸引噴射装置１０を備えている。
【００３８】
掃除機本体２１は、電動送風機３１と、集塵室３２と、ホイール３３と、電源コード３４を備えており、接続パイプ３５を介して吸引ホース２２の一方の端が着脱自在に接続されている。
【００３９】
吸引ホース２２の他方の端には、手元操作部２３が設けられており、この手元操作部２３の先端に対して、吸引延長管２４の一方の端が着脱自在に接続されている。さらに、吸引延長管２４の他方の端には吸込口体２５が着脱自在に取り付けられている。また、手元操作部２３の下方には、吸引ノズル２６および空気吸引噴射装置１０が着脱自在に取り付けられ、これら吸引ノズル２６および空気吸引噴射装置１０は、吸引延長管２４の代わりに、手元操作部２３の先端に取り付け可能となっている。
【００４０】
電気掃除機２０の運転を開始すると、電動送風機３１の動作により吸引力が発生し、吸引ホース２２、吸引延長管２４を介して吸込口体２５の図示しない吸込口に吸引力が発生する。また、掃除機本体２１の内部には、電源コード３４が引き出し可能に収納されている。また、掃除機本体２１は、両側方に回転自在に設けられている一対のホイール３３で床面上を移動自在に構成されている。
【００４１】
電気掃除機２０の使用時には、まず、使用者は、使用時に電源コード３４を掃除機本体２１から引き出して先端の電源プラグ３４ａを電源差込口（例えば、室内の壁のコンセント、図示せず）に差し込み、手元操作部２３を操作して、掃除機本体２１の電源を入れる。これにより、電動送風機３１の動作によって、吸込口体２５の吸込口に吸引力が発生するので、床面上の塵埃が吸引され、吸引延長管２４、吸引ホース２２、接続パイプ３５を介して集塵室３２に集められる。
【００４２】
使用者は、手元操作部２３を把持して床面上で吸込口体２５の位置を移動させることで、掃除する床面の領域を変える。また、掃除の場所を変える場合には、吸引ホース２２を引くことで、ホイール３３の回転により掃除機本体２１が床面上を移動する。なお、掃除機本体２１には、図示しない取っ手が設けられており、これで掃除機本体２１を持ち上げて移動させることもできる。
【００４３】
また、床面ではなく、部屋の隅、家具等の隙間等の狭い領域を掃除したい場合には、吸引延長管２４または吸込口体２５を取り外し、代わりに吸引ノズル２６を取り付けて、掃除を行う。さらに、（１）使用者にとって見え難い位置または高い位置の掃除、（２）被清掃面に付着したり凹凸部の奥に溜まった塵埃の掃除、（３）吸引ノズル２６の吸引口を近接させると、破損、望ましくない移動、誤操作、誤吸引のおそれがある対象物の掃除等を行いたい場合には、通常の吸引力による掃除（バキューム機能による掃除）だけでなく、ブロアー機能を好適に用いることができる。そこで、吸引延長管２４または吸込口体２５を取り外し、代わりに、本実施の形態における空気吸引噴射装置１０を取り付け、さらにその先端に吸引ノズル２６を取り付けて、掃除を行う。
【００４４】
なお、図１に示す電気掃除機２０における具体的な構成、すなわち、掃除機本体２１、吸引ホース２２、手元操作部２３、吸引延長管２４、吸込口体２５、および吸引ノズル２６等は特に限定されず、電気掃除機の分野で公知の各種構成を好適に用いることができる。
【００４５】
次に、本実施の形態に係る空気吸引噴射装置１０の具体的な構成について、図２〜図１６を参照して説明する。
【００４６】
本実施の形態に係る空気吸引噴射装置１０は、図２の側面図、図３の下方斜視図に示すような外観をしているが、基本的な機能を説明するのに具体的な内部構成が分かりにくいので、空気導入蓋部材１１３ｃの回動域を覆う外郭上カバー１１８ａと外郭下カバー１１８ｂを外した状態で、図４〜図７で説明する。
【００４７】
空気吸引噴射装置１０は、本体部１１１と、噴射流路部１１２と、レバー部材１１３と、後述のファン部１１４と、吸引室１１５および流路切換部１１６を備えている。また、図５の斜視図および図６の側面図に示すように、空気吸引噴射装置１０に対しては、先端にブラシを備える吸引ノズル２６が装着可能となっている。
【００４８】
本体部１１１は、略管状であって、その内部が空気の主流路１０１となっている。本体部１１１の両端は、それぞれ先端開口部１１１ａおよび後端開口部１１１ｂとなっており、先端開口部１１１ａは、吸引ノズル２６が装着可能に構成され、後端開口部１１１ｂは、吸引ホース２２（より具体的には、手元操作部２３）に対して装着可能に構成されている。先端開口部１１１ａおよび後端開口部１１１ｂは、テーパ状に形成されている。これにより、先端開口部１１１ａまたは後端開口部１１１ｂの外周又は内周に吸引ノズル２６または吸引ホース２２を装着したり脱離したりすることが容易となる。
【００４９】
噴射流路部１１２は、図４または図６に示すように、本体部１１１の管軸方向に対して傾斜する位置関係で、本体部１１１に一体化するように設けられている。噴射流路部１１２の内部は空気の副流路１０２となっており、かつ、副流路１０２は、先端開口部１１１ａにつながるように構成されている。また、噴射流路部１１２には、噴射空気導入口１１２ａが設けられている。
【００５０】
空気吸引噴射装置１０は、基本的には、噴射流路部１１２を上方に位置させた状態で、吸引ホース２２の先端の手元操作部２３に装着される。したがって、以下の説明では、噴射流路部１１２が位置する側を「上」と称し、反対側を「下」と称する。また、先端開口部１１１ａの位置する側を「先端」と称し、後端開口部１１１ｂの位置する側を「後端」と称する。
【００５１】
噴射流路部１１２において、本体部１１１から上側に露出している部位は、図４または図６に示すように、本体部１１１の管軸方向に対して傾斜するように延伸しているが、その上面には、図５に示すように噴射空気導入口１１２ａが形成されている。この噴射空気導入口１１２ａは、噴射流路部１１２の内部すなわち副流路１０２に空気を流入させるための開口である。
【００５２】
また、本体部１１１における下側、すなわち本体部１１１を挟んで噴射流路部１１２の反対側となる位置には、本体部１１１の外周に沿って複数の吸引力調整孔１１１ｃが設けられ、吸引空気導入口１１５ｂ（後述）に隣接する位置に回転調整孔１１１ｆが設けられている。この吸引力調整孔１１１ｃは、先端開口部１１１ａが、ごみの吸引または吸い付き等により本体部１１１の主流路１０１が閉塞し、空気の流入が一定以下になって、電気掃除機への負荷が過剰にならないように、先端開口部１１１ａ以外で外気を主流路１０１に取り込むためのものである。
【００５３】
レバー部材１１３は、切換レバー１１３ａ、レバー支持部１１３ｂおよび空気導入蓋部材１１３ｃから構成されている。図４および図６に示すように、切換レバー１１３ａおよび空気導入蓋部材１１３ｃの間にレバー支持部１１３ｂが位置しており、このレバー支持部１１３ｂは、本体部１１１を貫通した状態で回動可能に保持される回動軸となっている。また、後述するように、レバー支持部１１３ｂには、流路切換部１１６が取り付けられており、切換レバー１１３ａの操作によって、流路切換部１１６の切り換えが可能となっ
ている。
【００５４】
切換レバー１１３ａは、図５に示すように、本体部１１１の下側を覆うように位置する枠状となっているが、空気導入蓋部材１１３ｃは、本体部１１１の側面に設けられている吸引空気導入口１１５ｂと回転調整孔１１１ｆを開閉可能に閉止する板状材となっている。切換レバー１１３ａは、図５に示すように、バネ等の弾性部材（図示せず）によって先端側に付勢されているので、空気導入蓋部材１１３ｃは、基本的に後端側に位置している。そして、後述するように、レバー部材１１３は、レバー支持部１１３ｂを中心として回動するので、切換レバー１１３ａを後端側に移動させれば、空気導入蓋部材１１３ｃは、先端側に移動する。このとき、空気導入蓋部材１１３ｃにより閉止されている吸引空気導入口１１５ｂおよび回転調整孔１１１ｆは開放される。
【００５５】
また、切換レバー１１３ａを後端側に十分に移動させると、本体部１１１の下側面の一部に当接して止まるので、空気導入蓋部材１１３ｃは、必要以上に先端側に移動しないように構成されている。
【００５６】
本体部１１１の先端開口部１１１ａに装着されている吸引ノズル２６は、図５または図６に示すように、ノズル本体２６１および先端ブラシ２６２から構成されている。ノズル本体２６１の先端には、図５に示すように、塵埃等を吸引するための吸引口２６１ａが設けられている。また、先端ブラシ２６２は、図５または図６に示す構成では、ノズル本体２６１の下側に折り畳まれているが、後述するように、吸引口２６１ａの先端側に位置するように突出可能となっている。
【００５７】
空気吸引噴射装置１０の内部には、図７の縦断面図に示すように、本体部１１１の内部により構成される主流路１０１と、噴射流路部１１２の内部で、噴射空気導入口１１２ａと、噴射口１１２ｄとの間に形成される副流路１０２と、噴射流路部１１２の下側において主流路１０１に面している吸引室１１５とが、設けられている。
【００５８】
噴射流路部１１２および吸引室１１５は互いに隣接し、かつ、一体化されており、その内部には、ファン部１１４が設けられている。言い換えれば、噴射流路部１１２および吸引室１１５はファン部収容部であり、吸引室１１５は、動力ファン収容部である。また、吸引室１１５における主流路１０１に面する部位には、内部吸引口１１５ａが設けられており、さらに、後述するように、本体部１１１の外側につながる吸引空気導入口１１５ｂも設けられている。
【００５９】
ファン部１１４は、噴射流路部１１２内に位置する噴射ファン１１４ａと、吸引室１１５内に位置する動力ファン１１４ｂと、これら噴射ファン１１４ａと動力ファン１１４ｂを回転可能に支持するファン回転軸１１４ｃから構成されている。噴射ファン１１４ａは、副流路１０２に、先端開口部１１１ａに向かって流れる噴射空気流を形成するものである。動力ファン１１４ｂは、噴射ファン１１４ａとともにファン回転軸１１４ｃを共有しているので、噴射ファン１１４ａと連動して回転するように構成されている。なお、ファン部１１４の具体的な動作に関しては、後述する噴射空気流の形成とともに説明する。
【００６０】
主流路１０１および副流路１０２が合流する部位には、流路切換部１１６が設けられている。流路切換部１１６は、少なくとも先端開口部１１１ａに対する副流路１０２の接続または遮断を切り換えるように構成されていればよいが、本実施の形態では、先端開口部１１１ａに対して主流路１０１または副流路１０２の一方が接続されるように、択一的な切り換えを行う構成となっている。
【００６１】
具体的には、流路切換部１１６は、図７に示すように、略板状の弁部材となっており、
一端がレバー支持部１１３ｂに回動自在に支持されている。したがって、切換レバー１１３ａを操作することで、流路切換部１１６は、レバー支持部１１３ｂを支点として合流部位の領域内を回動する。それゆえ、流路切換部１１６の回動角度は、切換レバー１１３ａの操作によって自在に変えることができる。
【００６２】
ここで、主流路１０１における合流部位を、図７の破線で囲んだ領域に示すように「本体合流口１１１ｄ」と定義し、副流路１０２における合流部位を「噴射合流口１１２ｂ」と定義すれば、弁部材である流路切換部１１６は、切換レバー１１３ａの操作によって、主流路１０１または副流路１０２の一方を閉止するように角度を変える（揺動する）。なお、図７に示す構成では、流路切換部１１６は、噴射合流口１１２ｂを閉止している状態にある。
【００６３】
また、本体合流口１１１ｄおよび噴射合流口１１２ｂのいずれにおいても、流路切換部１１６の回動が、閉止状態を超えた位置にまで及ばないように、流路切換部１１６の移動を所定位置で止めるストッパ１１１ｅ、１１２ｃが設けられている。
【００６４】
また、内部構成の説明で省略した図２、３に示した外郭カバー関係の構成を説明すると、空気導入蓋部材１１３ｃの回動域と、噴射空気導入口１１２ａを含んだ空気吸引噴射装置１０の上半分を覆う外郭上カバー１１８ａを設け、前記外郭上カバー１１８ａと当接し、組み合わせて外郭上カバー１１８ａの底面を形成する外郭下カバー１１８ｂを左右に設けた。外郭上カバー１１８ａの上面には、外気を導入するハニカム形状の上部外気導入口１１９ａが備わり、噴射空気導入口１１２ａの間には、芳香成分を含浸させ一定の保水性能も併せ持つ上部フィルター１２０ａ（図１４参照）を設け、噴射ファン１１４ａの保護の為に、上部外気導入口１１９ａからの異物の浸入を防いでいる。外郭下カバー１１８ｂには、下部外気導入口１１９ｂが備わり、それを覆うように下部フィルター１２０ｂが備えてある。
【００６５】
本実施の形態に係る空気吸引噴射装置１０および吸引ノズル２６の具体的な構成は、特に限定されず、本体部１１１、噴射流路部１１２、レバー部材１１３、ファン部１１４、吸引室１１５および流路切換部１１６等は、電気掃除機の分野あるいは広く家電製品の分野で公知の部材、材料、形状等を用いて製造できるものであればよい。
【００６６】
次に、前述した構成を有する本実施の形態における空気吸引噴射装置１０の動作、特に、吸引口２６１ａから、噴射空気流を噴射する機能（ブロアー機能）の詳細、並びに、当該ブロアー機能と通常の吸引を行う機能（バキューム機能）との切り換えについて、外郭上カバー１１８ａ、外郭下カバー１１８ｂを外した状態で、図７、図８乃至図１２を参照しながら具体的に説明する。
【００６７】
まず、空気吸引噴射装置１０は、例えば図８に示すように、吸引ホース２２の先端に設けられている手元操作部２３に直接取り付けて使用することができる。つまり、使用者は、手元操作部２３に、吸引延長管２４および吸込口体２５が取り付けられている状態（図１参照）から吸引延長管２４を取り外し、代わりに空気吸引噴射装置１０を取り付けて使用する。なお、空気吸引噴射装置１０には、吸引ノズル２６が取り付けられており（図５〜図７参照）、以下の説明でも、この状態に基づいて空気吸引噴射装置１０の動作を説明する。
【００６８】
最初に、通常のバキューム機能について説明する。図７に示すように、空気吸引噴射装置１０は、切換レバー１１３ａが先端側に位置する定常状態にあるので、主流路１０１および副流路１０２の合流部位においては、流路切換部１１６は、噴射合流口１１２ｂを閉止し、本体合流口１１１ｄを開放している。そして、掃除機本体２１（図７には図示せず
）の動作によって吸引力が発生すると、当該吸引力は、吸引ホース２２（図７には図示せず）を介して、主流路１０１および吸引ノズル２６まで達する。それゆえ、図中太線の矢印で示すように吸引口２６１ａから外気が吸引され、先端開口部１１１ａから後端開口部１１１ｂに向かって、主流路１０１に吸引空気流が形成される。
【００６９】
次に、ブロアー機能への切り換えについて説明する。図９に示すように、使用者が切換レバー１１３ａを後端側に移動させる操作を行うと、空気導入蓋部材１１３ｃは、先端側に移動するので、空気導入蓋部材１１３ｃにより閉止されている吸引空気導入口１１５ｂが開放される。さらに、図１０に示すように、主流路１０１および副流路１０２の合流部位においては、流路切換部１１６は、噴射合流口１１２ｂを閉止している位置から、本体合流口１１１ｄを閉止する位置まで移動する。これにより噴射合流口１１２ｂが開放されるので、副流路１０２が、先端開口部１１１ａと連通し、主流路１０１は、先端開口部１１１ａから遮断される。後端開口部１１１ｂ近傍に生じる吸引力は、図中太線矢印に示すように、内部吸引口１１５ａから吸引室１１５の内部の空気を吸引する。
【００７０】
このように、本実施の形態では、流路切換部１１６が、噴射空気流の噴射口１１２ｄから外部への噴射を許可または制限する噴射切換部を構成している。
【００７１】
このとき、図１０における二点鎖線の矢印Ｉの方向から矢視する図１１に示すように、開放されている吸引空気導入口１１５ｂは、吸引室１１５につながっているので、吸引室１１５の内部は外気につながっていることになる。それゆえ、吸引空気導入口１１５ｂ、吸引室１１５、内部吸引口１１５ａに向かって吸引空気流が形成される。この吸引空気流は、主流路１０１を介して後端開口部１１１ｂから吸引ホース２２（図１０、図１１には示さず）に向かって流れる。
【００７２】
そして、吸引室１１５の内部には、動力ファン１１４ｂが設けられているので、この動力ファン１１４ｂは、吸引空気流の作用によって回転する。より具体的には、主流路１０１に生じている吸引空気流により主流路１０１が減圧すれば、これにより吸引室１１５の内部もそのまま減圧されて、吸引空気導入口１１５ｂから内部吸引口１１５ａに向かって多量の吸引空気流が形成される。これにより動力ファン１１４ｂが吸引室１１５の内部で回転する。
【００７３】
さらに動力ファン１１４ｂは、噴射ファン１１４ａとともにファン回転軸１１４ｃを共有しているので、動力ファン１１４ｂの回転に伴って噴射ファン１１４ａも回転する。噴射ファン１１４ａは、噴射流路部１１２内に設けられているので、図１０の太線矢印に示すように、副流路１０２において噴射空気流が形成され、当該噴射空気流は先端開口部１１１ａから吸引ノズル２６の内部に流れ、吸引口２６１ａから噴射される。
【００７４】
なお、使用者が、切換レバー１１３ａを後端側に移動させた状態を解除すれば、切換レバー１１３ａは、後端側から先端側に移動して元の位置に戻る。これに伴い、空気導入蓋部材１１３ｃは、吸引空気導入口１１５ｂを閉止し、流路切換部１１６は、噴射合流口１１２ｂを開放している位置から、本体合流口１１１ｄを開放する位置まで移動する。それゆえ、副流路１０２が先端開口部１１１ａから遮断され、主流路１０１が先端開口部１１１ａにつながるので、動力ファン１１４ｂおよび噴射ファン１１４ａの回転が停止し、吸引口２６１ａから噴射していた噴射空気流も停止する。また、主流路１０１には、吸引空気流が形成されるので、吸引口２６１ａにおいては再び吸引力が作用する。
【００７５】
このように、本実施の形態では、切換レバー１１３ａの操作により流路切換部１１６を切り換えるだけで、先端開口部１１１ａから噴射空気流を噴射させることができる。それゆえ、電気掃除機２０の使用時に、複雑な構成を用いることなく、吸引ノズル２６の先端
から容易に噴射空気流を噴射させることができる。また、切換レバー１１３ａを元に戻すだけで、ブロアー機能を停止してバキューム機能に戻すことができるので、操作性が向上するだけでなく、電気掃除機２０の使用状況に応じて、バキューム機能とブロアー機能とを適切に切り換えることができる。
【００７６】
バキューム機能とブロアー機能とを容易に切り換えることができれば、例えば、ブロアー機能により、掃除の対象物に堆積した塵埃を吹き飛ばした後に、直ちにバキューム機能に戻し、吹き飛ばされて舞い上がった塵埃を、室内に拡散する前に速やかに吸引することができる。このような掃除方法は、例えば、（１）使用者にとって見え難い位置または高い位置の掃除、（２）被清掃面に付着したり凹凸部の奥に溜まった塵埃の掃除、（３）吸引口を近接させると、破損、望ましくない移動、誤操作、誤吸引のおそれがある対象物の掃除等において好適に利用することができる。
【００７７】
また、前記（３）の掃除においては、噴射空気流の勢いが一定であれば、対象物または塵埃の種類等によっては、噴射空気流を吹きつけることで当該塵埃が必要以上に飛散するおそれがある。ここで、本実施の形態では、弁部材である流路切換部１１６は、切換レバー１１３ａの操作により、主流路１０１または副流路１０２の一方を開放し一方を閉鎖するように角度を変化させることができる構成である。それゆえ、例えば、切換レバー１１３ａを完全に後端側に移動させずに、中間の位置で保持すれば、噴射空気流および吸引空気流を同時に形成することができる。
【００７８】
したがって、切換レバー１１３ａの操作具合を調整することで、噴射空気流および吸引空気流の比率を自在に変更することができ、対象物に対して好適な流量の噴射空気流を当てることができる。また、切換レバー１１３ａの操作具合を調整することで、噴射空気流の流量を微調整することが可能であるため、ブロアー機能の微調整が可能となる。
【００７９】
さらに、噴射空気流を形成する噴射ファン１１４ａは、動力ファン１１４ｂによって回転するが、この動力ファン１１４ｂは、主流路１０１に形成される吸引空気流によって回転する。それゆえ、噴射ファン１１４ａは、主流路１０１を流れる空気流によって回転することができるので、噴射ファン１１４ａを回転させるために、電源を使用する駆動源を設ける必要がなくなる。それゆえ、空気吸引噴射装置１０の構成を簡素化でき、またコストの増加を回避することができる。
【００８０】
また、内部構成の説明で省略した図２、３に示した外郭カバー関係の動作を説明すると、まず、使用者が切換レバー１１３ａを後端側に移動させる操作を行うと、空気導入蓋部材１１３ｃは先端側に移動するので、空気導入蓋部材１１３ｃにより閉止されている吸引空気導入口１１５ｂが開放され、下部外気導入口１１９ｂより下部フィルター１２０ｂを介して外気が導入され、動力ファン１１４ｂが動作するが、空気吸引噴射装置１０は上部が外郭上カバー１１８ａに覆われているので、使用者が空気導入蓋部材１１３ｃで指を挟んだり、動力ファン１１４ｂに指が届いて怪我する心配が全くなくなる。また、下部フィルター１２０ｂを介しているので、異物が高回転で回る動力ファン１１４ｂに到達する事はなく、破損等の損傷を防いでいる。
【００８１】
動力ファン１１４ｂの回転に伴って、噴射ファン１１４ａが回転すると、上部外気導入口１１９ａより上部フィルター１２０ａを介して外気が導入され、噴射風を作り出すが、上部外気導入口１１９ａは、ハニカム形状であるので、噴射ファン１１４ａに指が届いて怪我する心配もなく、しかも上部フィルター１２０ａを介しているので、異物浸入による噴射ファン１１４ａの破損の心配もない。
【００８２】
また、各上部・下部フィルター１２０ａ、１２０ｂは外郭面に設けられているので、容
易に状態確認や掃除が可能で、付着した異物や細塵を簡単に除去することが出来る。よって、メンテナンスが容易で、噴射風も一定に維持できる。
【００８３】
また本実施の形態の特徴として、上部フィルター１２０ａに芳香成分を含浸させているので、ブロアー機能に切替えると、芳香手段である上部フィルター１２０ａを通過した空気がブロアーされ、芳香したい空間や物に対して噴きつけることができるので、対象にした空間や物に芳香効果をもたらすことができる。
【００８４】
すなわち、本実施の形態では、上部フィルター１２０ａは、塵埃侵入を防止する吸気フィルターであり、また芳香手段の機能も備えている。
【００８５】
また、芳香成分が消費されて、芳香効果が減少してきた場合には、使用者がハニカム形状の上部外気導入口１１９ａの間から、液状の芳香成分を上部フィルター１２０ａに滴下して補充することで、容易に芳香効果を回復できる。
【００８６】
また、図１６に示すように、上部フィルター１２０ａが着脱自在であると、芳香成分の補充がより容易になるほか、新しい上部フィルター１２０ａに交換するなど、より利便性良く芳香効果を回復できる。
【００８７】
よって本実施の形態における構成は、ファン部１１４への保護と芳香効果を兼用した効率の良い構成といえる。
【００８８】
なお、図１２に示すように、吸引ノズル２６の先端ブラシ２６２を吸引口２６１ａの先端側に位置するように突出した状態であっても、前述したように、バキューム機能とブロアー機能とを適切に切り換えることができる。すなわち、図１２に示すように、切換レバー１１３ａを後端側に移動させれば、吸引空気導入口１１５ｂが開放されるので、吸引空気導入口１１５ｂから吸引室１１５に空気が取り入れられ、吸引空気導入口１１５ｂから内部吸引口１１５ａに向かって流量の大きい吸引空気流が形成される。これによって吸引室１１５の内部の動力ファン１１４ｂを勢いよく回転させることができるので、噴射ファン１１４ａにより流速の大きい噴射空気流を形成することができる。
【００８９】
上記本実施の形態においては、本体部１１１に対して、噴射流路部１１２が一体化されるように設けられているが、本発明はこれに限定されず、本体部１１１に対して明確な別部材または別構成となるように噴射流路部１１２を設けてもよい。すなわち、本発明においては、管状の本体部１１１に対して、空気導入口および噴射口を有し、その内部が副流路となっている噴射流路部１１２が設けられていればよい。
【００９０】
また、本実施の形態においては、噴射流路部１１２に隣接して吸引室１１５が設けられているが、本発明はこれに限定されず、吸引室１１５は無くてもよい。もちろん吸引室１１５は、主流路１０１において動力ファン１１４ｂを保護するとともに、吸引空気導入口１１５ｂ、吸引室１１５の内部（動力ファン１１４ｂ）および内部吸引口１１５ａに向かって吸引空気流を良好に形成できることから、設けられていることが好ましいが、例えば、吸引室１１５は、「動力ファン収容部」であればよいので、動力ファン１１４ｂを保護するために好ましい形状等に構成されてもよいし、吸引空気流を良好に形成するために例えば管状に構成されてもよい。
【００９１】
また、吸引室１１５を設けないのであれば、動力ファン１１４ｂは、吸引ホース２２を通じた空気の吸引により前記主流路１０１に形成される吸引空気流によって回転できればよいので、少なくとも本体部１１１の内部に設けられていればよい。
【００９２】
また、本実施の形態では、ファン部１１４が備える噴射ファン１１４ａおよび動力ファン１１４ｂは、共通のファン回転軸１１４ｃで連動するように構成されているが、本発明はこれに限定されず、例えば、噴射ファン１１４ａおよび動力ファン１１４ｂの間に公知の加減速機構を介在させてもよい。特に加速が可能な機構を介在させることで、噴射ファン１１４ａの単位時間当たりの回転数を増加させることができるので、より強力な噴射空気流を形成することが可能となる。
【００９３】
また、本実施の形態においては、空気吸引噴射装置１０に装着する吸引ノズル２６として、先端ブラシ２６２を備える吸引ノズル２６を用いているが、本発明はこれに限定されず、公知のさまざまな吸引ノズルを好適に用いることができる。
【００９４】
例えば、図１３に示すように、相対的に長いノズル本体２６３を備える吸引ノズル２６ａを用いることができる。この吸引ノズル２６ａは、例えば、高い位置または家具の隙間等の掃除に好適に用いることができる。
【００９５】
これら吸引ノズル２６、２６ａは、必要に応じて適宜使い分けることができる。さらに、通常の掃除により汚れた吸引ノズルを触れさせたくない対象物、例えば、机の上、電話、ＦＡＸ、パーソナルコンピュータ等を掃除する場合には、専用の吸引ノズルを予め準備しておくこともできる。
【００９６】
また、本実施の形態においては、レバー部材１１３は、切換レバー１１３ａだけでなく空気導入蓋部材１１３ｃを備えているが、本発明はこれに限定されるものではなく、空気導入蓋部材１１３ｃは無くてもよいし、さらに他の構成が付与されてもよい。レバー部材１１３は、本体部１１１の外部に設けられ、流路切換部１１６（弁部材）の位置の変化に連動するものであれば、公知のどのような構成でも採用することができる。
【００９７】
また、本実施の形態においては、吸引室１１５に空気を取り入れる吸引空気導入口１１５ｂを閉止するために、レバー部材１１３に空気導入蓋部材１１３ｃを設けているが、本発明はこれに限定されるものではなく、例えば、空気導入蓋部材１１３ｃに代えて、噴射流路部１１２に空気を流入させる噴射空気導入口１１２ａを閉止する部材を設けてもよい。
【００９８】
また、本実施の形態では、弁部材である流路切換部１１６によって主流路１０１および副流路１０２を切り換えているが、本発明はこれに限定されるものではなく、少なくとも、噴射口（本実施の形態では、先端開口部１１１ａ）から外部への噴射空気流の噴射を許可または制限する構成（噴射切換部）であればよい。噴射空気流は、前記のとおり、吸引空気流によりファン部１１４を回転させることで形成されるので、主流路１０１と先端開口部１１１ａとの接続を完全に遮断しなくても、噴射空気流が形成されているときには、先端開口部１１１ａにおいては、実質的に噴射空気流のみが噴射される。それゆえ、噴射合流口１１２ｂの近傍に、流路切換部１１６の代わりに噴射空気流の許可または遮断を可能とする公知の部材等を設けることによっても、本実施の形態と同様の効果を得ることができる。
【００９９】
また、本実施の形態では、電気掃除機として、キャニスター型の電気掃除機２０を例示しているが、もちろん本発明はこれに限定されるものではなく、キャニスター型であっても電気掃除機２０とは異なる構成のものを用いることができ、あるいは、アップライト型の電気掃除機、あるいはハンディ型の電気掃除機等にも用いることができる。
【０１００】
さらに、本実施の形態に係る空気吸引噴射装置１０は、吸引ホース２２（手元操作部２３）に対して着脱自在の構成となっているが、これに限定されず、吸引ホース２２（手元
操作部２３）など吸引装置の本体の一部に一体化した構成であってもよい。
【０１０１】
なお、本発明は、前述した各実施の形態に記載されたものに限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【０１０２】
（実施の形態２）
図１７は、本発明の実施の形態２に係る空気吸引噴射装置のブロアー時（噴射空気流の形成時）の一例を示す側方から示す断面図である。
【０１０３】
本実施の形態に係る空気吸引噴射装置１０は、図１７に示すように、基本的には、前記実施の形態１に係る空気吸引噴射装置１０と同様の構成を有しているが、芳香部材である芳香成分を含浸したブロアフィルター１２１を、噴射ファン１１４ａと流路切換部１１６の間に設けている点のみ異なっている。従って、上記実施の形態１における空気吸引噴射装置と同一構成部品については同一符号を付して、その説明を省略する。
【０１０４】
次に、以上のように構成された本実施の形態における空気吸引噴射装置１０の動作について図１７を参照して具体的に説明する。以下の説明においても通常のバキューム機能、及びブロアー機能については、上記実施の形態１と同じであり説明は省略する。
【０１０５】
図１７のように、芳香材を含浸したブロアフィルター１２１を、上部フィルター１２０ａと分離する事で、細塵の付着等を防ぐことができるので、芳香成分の供給が長持ちする空気吸引噴射装置１０を提供することができる。
【産業上の利用可能性】
【０１０６】
本発明は、ブロアー機能をバキューム機能とともに使用したい場合であれば、家庭用、業務用を問わず、また、キャニスター型、アップライト型を問わず、さまざまな種類の電気掃除機の分野に好適に用いることができる。
【符号の説明】
【０１０７】
１０  空気吸引噴射装置
２０  電気掃除機
１０１  主流路
１０２  副流路
１１１  本体部
１１１ａ  先端開口部
１１１ｂ  後端開口部
１１１ｆ  回転調整孔
１１２  噴射流路部
１１２ａ  噴射空気導入口
１１２ｄ  噴射口
１１３  レバー部材
１１３ａ  切換レバー
１１３ｃ  空気導入蓋部材
１１４ａ  噴射ファン
１１４ｂ  動力ファン
１１４ｃ  ファン回転軸
１１５  吸引室（動力ファン収容部）
１１５ａ  内部吸引口
１１５ｂ  吸引空気導入口
１１６  流路切換部（弁部材、噴射切換部）
１１８ａ  外郭上カバー
１１８ｂ  外郭下カバー
１１９ａ  上部外気導入口
１１９ｂ  下部外気導入口
１２０ａ  上部フィルター（吸気フィルター、芳香手段）
１２０ｂ  下部フィルター
１２１  ブロアフィルター（芳香部材）
【図１】
2013094213.tif 000003
【図２】
2013094213.tif 000004
【図３】
2013094213.tif 000005
【図４】
2013094213.tif 000006
【図５】
2013094213.tif 000007
【図６】
2013094213.tif 000008
【図７】
2013094213.tif 000009
【図８】
2013094213.tif 000010
【図９】
2013094213.tif 000011
【図１０】
2013094213.tif 000012
【図１１】
2013094213.tif 000013
【図１２】
2013094213.tif 000014
【図１３】
2013094213.tif 000015
【図１４】
2013094213.tif 000016
【図１５】
2013094213.tif 000017
【図１６】
2013094213.tif 000018
【図１７】
2013094213.tif 000019